(57)【要約】【課題】クリップが筒体から外れたり取付基部がガタつくことを防止でき、さらには、クリップ取付時に筒体の外面を傷つけることを防止する。【解決手段】クリップの一対の取付基部の端部に、径方向内方に突出する一対の取付片部１３を連設する。筒体２の側壁に、軸方向に延びる一対の係合溝２１を設ける。係合溝２１に取付片部１３を係合させる。係合溝２１が、筒体２の前端より軸方向前方に開口する。係合溝２１に取付片部１３を筒体２の前端から挿入する。係合溝２１の底面にクリップ１の取付片部１３の内側縁部を径方向に圧接させる。一対の取付片部１３の後端に、後方に突出する一対の突出片部１４を設ける。突出片部１４の外側縁部と圧接する一対の規制壁部２２を、筒体２の内面に設ける。【選択図】  図５
2004148760.tif 000002
【特許請求の範囲】
【請求項１】
クリップの一対の取付基部の端部に、径方向内方に突出する一対の取付片部を連設し、筒体の側壁に、軸方向に延びる一対の係合溝を設け、前記係合溝に前記取付片部を係合させたクリップ取付構造であって、
前記係合溝が、前記筒体の前端より軸方向前方に開口し、前記係合溝に前記取付片部を前記筒体の前端から挿入し、前記係合溝の底面に前記クリップの取付片部の内側縁部を径方向に圧接させ、
前記一対の取付片部の後端に、後方に突出する一対の突出片部を設け、前記突出片部の外側縁部と圧接する一対の規制壁部を、前記筒体の内面に設けたことを特徴とするクリップ取付構造。
【請求項２】
前記一対の取付片部の内側縁部に、前記係合溝の底面と食いつき係合する凹凸部を設けた請求項１記載のクリップ取付構造。
【発明の詳細な説明】
【０００１】
【発明の属する技術分野】
本発明は、クリップ取付構造に関する。詳細には、クリップの一対の取付基部が、筒体（例えば、筆記具のキャップまたは軸筒）の外周面の略半周を包囲するタイプのクリップ取付構造に関する。尚、本発明で、「前」とは、筒体の頂部側（クリップ取付基部側）を指し、「後」とは、その反対側を指す。
【０００２】
【従来の技術】
従来、特許文献１には、「軸筒後方における１８０°対称の位置に長手方向の透孔を一対穿設し、クリップの後方に軸筒の外側面とほぼ同形状の内側面を有する脚部を一体的に設け、該脚部の両側端に前記透孔より僅かに薄い肉厚で同透孔の長さより僅かに小寸法の舌片をそれぞれ一体的に折曲して設け、前記脚部を軸筒にあてがい押圧することにより、前記舌片を透孔に係合せしめてなるクリップ取り付け装置。」が記載されている。
【０００３】
【特許文献１】
実開平６−５９９０号公報
【０００４】
【発明が解決しようとする課題】
前記従来のクリップ取付構造は、クリップの取付強度が不十分であり、比較的厚みのある被挟持物をクリップに挿入した際、クリップ本体が持ち上げられると、クリップの脚部（本願の取付基部）が径方向外方に開き、透孔（本願の係合溝）から舌片（本願の取付片部）が外れてしまうおそれがある。
【０００５】
また、前記従来のクリップ取付構造は、クリップを軸筒（本願の筒体）に取り付ける際、前記脚部のクリップの舌片が軸筒外面に当たり、軸筒外面を傷つけるおそれがある。
【０００６】
本発明は、前記従来の問題点を解決するものであって、比較的厚みを有する被挟持物を挿入した際に、クリップが筒体から外れたり取付基部がガタつくことを防止でき、さらには、クリップ取付時に筒体の外面を傷つけるおそれがないクリップ取付構造を提供しようとするものである。
【０００７】
【課題を解決するための手段】
〔１〕本発明は、クリップ１の一対の取付基部１２の端部に、径方向内方に突出する一対の取付片部１３を連設し、筒体２の側壁に、軸方向に延びる一対の係合溝２１を設け、前記係合溝２１に前記取付片部１３を係合させたクリップ取付構造であって、前記係合溝２１が、前記筒体２の前端より軸方向前方に開口し、前記係合溝２１に前記取付片部１３を前記筒体２の前端から挿入し、前記係合溝２１の底面に前記クリップ１の取付片部１３の内側縁部を径方向に圧接させ、前記一対の取付片部１３の後端に、後方に突出する一対の突出片部１４を設け、前記突出片部１４の外側縁部と圧接する一対の規制壁部２２を、前記筒体２の内面に設けたこと（請求項１）を要件とする。
【０００８】
前記請求項１の「係合溝２１の底面にクリップ１の取付片部１３の内側縁部を径方向に圧接させ、一対の取付片部１３の後端に、後方に突出する一対の突出片部１４を設け、前記突出片部１４の外側縁部と圧接する一対の規制壁部２２を、筒体２の内面に設けたこと」により、比較的厚肉の被挟持物の挿入によりクリップ１が持ち上げられた際、一対の取付基部１２が径方向外方へ拡開変形することが抑えられ、取付片部１３が係合溝２１から径方向外方に外れたり取付基部１２がガタつくおそれがなく、安定したクリップ取付構造が得られる。
【０００９】
さらに、前記請求項１の「係合溝２１が、筒体２の前端より軸方向前方に開口し、前記係合溝２１に取付片部１３を筒体２の前端から挿入すること」により、クリップ１を筒体２に取り付ける際、取付片部１３が筒体２の外面に接触することがなく、筒体２の外面を傷つけるおそれがない。
【００１０】
〔２〕前記請求項１のクリップ取付構造において、前記一対の取付片部１３の内側縁部に、前記係合溝２１の底面と食いつき係合する凹凸部１３ａを設けること（請求項２）が好ましい。それにより、クリップ１の取付片部１３が筒体２から軸方向に脱落することを防止でき、クリップ１と筒体２とを、より一層、強固に固定できる。
【００１１】
【発明の実施の形態】
本発明の実施の形態を図面に従って説明する。
【００１２】
図１〜図８に本発明の一実施例を示す。本実施例のクリップ取付構造は、クリップ１と筒体２とからなる。
【００１３】
・クリップ
前記クリップ１は、金属板からなり、クリップ本体１１、取付基部１２、取付片部１３、突出片部１４、及び玉部１５が折曲により一体に連設されてなる。前記クリップ本体１１の前端には、一対の取付基部１２が連設される。そして、前記取付基部１２の各々の端部には、径方向内方に突出する平面状の一対の取付片部１３が形成される。前記各々の取付片部１３の径方向の内側縁部（即ち径方向内方の側縁部）には、のこ歯状の凹凸部１３ａが形成される。さらに、前記取付片部１３の後端部には、軸方向後方に突出する一対の突出片部１４が設けられる。尚、前記取付基部１２、取付片部１３、突出片部１４は、それぞれ、少なくとも１対、設ければよい。
【００１４】
・筒体
前記筒体２は、筆記具のキャップであり、合成樹脂の射出成形により得られる。前記筒体２の前端部には、小径部２３が設けられている。前記筒体２の前端部の側壁には、軸方向に延びる一対の係合溝２１が、筒体２の中心に対する対称位置（具体的には１８０度の対称位置）に形成される。前記係合溝２１は、軸方向前方に開口し且つ径方向外方に開口される。前記係合溝２１にクリップ１の取付片部１３が筒体２前端より挿入される。そして、クリップ１の一対の取付基部１２により、前記筒体２の外周面の略半周が包囲される。前記筒体２内には、ペン先シール部材４が取り付けられる。尚、前記筒体２は、キャップの他、筆記具の軸筒であってもよい。
【００１５】
前記各々の取付片部１３の径方向の内側縁部に形成されたのこ歯状の凹凸部１３ａは、係合溝２１の底面に食いつき係合され、クリップ１の筒体２からの軸方向の脱落が防止される。
【００１６】
さらに、係合溝２１の後方の筒体２の内面には、一対の規制壁部２２が突設される。前記規制壁部２２の内面と、クリップ１の突出片部１４の径方向の外側縁部とが径方向に圧接する。それにより、取付片部１３の径方向外方への拡がりが抑止される。本実施例では、前記一対の規制壁部２２は一つの環状凸部からなる。
【００１７】
・頭冠
前記筒体２の頂部には、頭冠３が取り付けられる。前記頭冠３は、合成樹脂の射出成形により得られる。前記頭冠３は、有底筒状の外筒部３１と、該外筒部３１内の頂壁から後方に突設される一対の半筒状の脚片３２とからなる。
【００１８】
前記外筒部３１は、筒体２の前端部（即ち小径部２３）の外面に被着される。前記脚片３２の各々は、筒体２の小径部２３内の横断面が半月状の二つの空間に圧入される。
【００１９】
また、前記頭冠３の外筒部３１には、軸方向後方に開口し且つ径方向に貫通する一対の長孔３３が設けられる。前記長孔３３は、頭冠３を筒体２に取り付けた際、筒体２の係合溝２１と一致する位置に設けられ、前記長孔３３にクリップ１の取付片部１３が挿入される。
【００２０】
【発明の効果】
請求項１により、比較的厚みを有する被挟持物を挿入した際に、クリップが筒体から外れたり取付基部がガタつくことを防止でき、しかも、クリップ取付時に筒体の外面を傷つけるおそれがない
【００２１】
請求項２により、クリップの取付片部が筒体から軸方向に脱落することを防止でき、クリップと筒体とを、より一層、強固に固定できる。
【図面の簡単な説明】
【図１】本発明の一実施例を示す外観図である。
【図２】図１の要部拡大縦断面図である。
【図３】図２のＡ−Ａ線拡大断面図である。
【図４】図２のＢ−Ｂ線拡大断面図である。
【図５】図２のＣ−Ｃ線断面図である。
【図６】図２のクリップの取付基部側を示す要部縦断面図である。
【図７】図６のクリップの取付基部側を前方から見た図である。
【図８】図６のクリップ基部側を裏面から見た図である。
【符号の説明】
１  クリップ
１１  クリップ本体
１２  取付基部
１３  取付片部
１３ａ  凹凸部
１４  突出片部
１５  玉部
２  筒体
２１  係合溝
２２  規制壁部
２３  小径部
３  頭冠
３１  外筒部
３２  脚片
３３  長孔
４  ペン先シール部材
【図１】
2004148760.tif 000003
【図２】
2004148760.tif 000004
【図３】
2004148760.tif 000005
【図４】
2004148760.tif 000006
【図５】
2004148760.tif 000007
【図６】
2004148760.tif 000008
【図７】
2004148760.tif 000009
【図８】
2004148760.tif 000010